(57)【要約】  情報提示方法は、属性情報内の受領者又は提供者のうちの少なくとも一つのものの情報に基づいて、発注情報に従って発注情報の属性情報を取得するステップと、予め設定された情報システム内において、受領者又は提供者のうちの少なくとも一つに対応する提示情報をフィルタリングするステップと、提示情報を電子貨物運送状上において表示するステップと、を含む。
2019513272.tif 000002
【特許請求の範囲】
【請求項１】
情報を電子貨物運送状上において表示する方法であって、
発注情報に従って前記発注情報の属性情報を取得するステップと、
前記属性情報内の発注受領者又は発注提供者のうちの少なくとも一つのものの特性情報に基づいて、予め設定された情報システム内において、前記発注受領者又は前記発注提供者のうちの少なくとも一つに対応する提示情報をフィルタリングするステップであって、前記提示情報は、前記属性情報に関係付けられている、ステップと、
前記提示情報を電子貨物運送状上において表示するステップと、
を有する方法。
【請求項２】
前記発注情報に従って前記発注情報の貨物運送状番号を取得するステップと、
前記貨物運送状番号を前記電子貨物運送状上において表示するステップと、
を更に有する、請求項１に記載の情報を電子貨物運送状上において表示する方法。
【請求項３】
予め設定された情報システム内において、前記発注受領者又は前記発注提供者に対応する提示情報をフィルタリングする前記ステップは、
前記予め設定された情報システム内において、前記属性情報に対応する候補情報の二つ以上の断片をフィルタリングするステップと、
予め設定された優先順位ランク付け方式により、前記候補情報の二つ以上の断片をランク付けするステップと、
高くランク付けされている候補情報を前記提示情報として使用するステップと、
を有する、請求項１に記載の情報を電子貨物運送状上において表示する方法。
【請求項４】
前記属性情報は、発注ソース情報、提供者属性情報、受領者属性情報、製品カテゴリ情報、受領者住所情報、又は提供者住所情報、という情報の一つ又は複数の断片を有する、請求項１に記載の情報を電子貨物運送状上において表示する方法。
【請求項５】
前記発注情報に従って発注情報の属性情報を取得する前記ステップは、
発注システムから前記発注情報を受け取るステップと、
前記発注情報に従って発注プラットフォームから前記属性情報を取得するステップと、
を有する、請求項１に記載の情報を電子貨物運送状上において表示する方法。
【請求項６】
前記提示情報は、チャネル提示情報、提供者提示情報、受領者提示情報、製品カテゴリ提示情報、産業チェーン提示情報、又は受領者場所提示情報、という情報の一つ又は複数の断片の組合せを有する、請求項１に記載の情報を電子貨物運送状上において表示する方法。
【請求項７】
予め設定された情報システム内において、前記発注受領者又は前記発注提供者に対応する提示情報をフィルタリングする前記ステップは、
前記属性情報内の前記発注受領者又は前記発注提供者のうちの少なくとも一つに対応する候補情報が、前記予め設定された情報システム内に存在しているかどうかを判定するステップと、
「はい」である場合に、予め設定された方式により、前記候補情報をランク付けするステップと、
前記候補情報内の高くランク付けされている情報を前記提示情報として取得するステップと、
を有する、請求項６に記載の情報を電子貨物運送状上において表示する方法。
【請求項８】
前記予め設定された方式は、予め設定された優先順位ランク付け方式、予め設定された確率的ランク付け方式、予め設定された重み選択方式、又は予め設定された時間に基づいた選択方式、という方式のうちの一つ又は複数を有する、請求項７に記載の情報を電子貨物運送状上において表示する方法。
【請求項９】
前記予め設定された方式は、前記予め設定された時間に基づいた選択方式であり、且つ、前記時間に基づいた選択方式は、季節に基づいた選択方式である、請求項８に記載の情報を電子貨物運送状上において表示する方法。
【請求項１０】
前記提示情報は、前記チャネル提示情報であり、且つ、前記チャネル提示情報は、発注及びチャネル提示情報を有する、請求項６に記載の情報を電子貨物運送状上において表示する方法。
【請求項１１】
前記提示情報は、前記提供者提示情報であり、これは、提供者に関係する情報を含む、請求項６に記載の情報を電子貨物運送状上において表示する方法。
【請求項１２】
前記提示情報は、前記受領者提示情報であり、これは、受領者に関係する情報を含む、請求項６に記載の情報を電子貨物運送状上において表示する方法。
【請求項１３】
前記受領者提示情報は、前記受領者による製品の選択又はブラウジングに関する情報、前記受領者による関係するプラットフォーム上におけるブラウジングに関する情報、又は前記受領者の基本情報に関する情報、という情報の一つ又は複数の断片を有する、請求項１２に記載の情報を電子貨物運送状上において表示する方法。
【請求項１４】
前記提示情報は、前記製品カテゴリ提示情報であり、且つ、前記製品カテゴリ提示情報は、対応するカテゴリ又は類似のカテゴリの製品に関する情報を有する、請求項６に記載の情報を電子貨物運送状上において表示する方法。
【請求項１５】
前記提示情報は、前記産業チェーン提示情報であり、且つ、前記産業チェーン提示情報は、産業チェーンの上流又は下流に対応する提示情報を有する、請求項６に記載の情報を電子貨物運送状上において表示する方法。
【請求項１６】
前記提示情報は、前記受領者場所提示情報であり、且つ、前記受領者場所提示情報は、前記受領者が位置している場所の住所と、前記住所に対応する地理的領域に関する情報と、を有する、請求項６に記載の情報を電子貨物運送状上において表示する方法。
【請求項１７】
前記提示情報を電子貨物運送状上において表示する前記ステップは、
二次元コード表示方式、アイコン表示方式、指標写真表示方式、又はバーコード表示方式、という方式のうちの一つ又は複数により、前記提示情報を前記電子貨物運送状上において表示するステップ、
を有する、請求項１に記載の電子貨物運送状に基づいた情報提示方法。
【請求項１８】
情報を電子貨物運送状上において表示する装置であって、
発注情報に従って前記発注情報の属性情報を取得するように構成された属性情報取得ユニットと、
予め設定された情報システム内において、前記属性情報内の発注受領者又は発注提供者のうちの少なくとも一つのものの特性情報に基づいて、前記発注受領者又は前記発注提供者のうちの少なくとも一つに対応する提示情報をフィルタリングするように構成された提示情報取得ユニットであって、前記提示情報は、前記属性情報に関係付けられている、提示情報取得ユニットと、
前記提示情報を電子貨物運送状上において表示するように構成された提示情報表示ユニットと、
を有する装置。
【請求項１９】
前記発注情報に従って前記発注情報の貨物運送状番号を取得するように構成された貨物運送状番号取得ユニットと、
前記貨物運送状番号を前記電子貨物運送状上において表示するように構成された貨物運送状番号表示ユニットと、
を更に有する、請求項１８に記載の情報を電子貨物運送状上において表示する装置。
【請求項２０】
電子貨物運送状サーバ、広告システム、及び電子商取引発注システムを有する情報提示システムであって、
前記電子商取引発注システムは、前記電子貨物運送状サーバ用の発注情報を提供し、
前記電子貨物運送状サーバは、前記電子商取引発注システムによって提供される前記発注情報に従って発注情報の属性情報を取得し、
前記電子貨物運送状サーバは、前記広告システム内において、前記属性情報内の発注受領者又は発注提供者のうちの少なくとも一つのものの特性情報に基づいて、前記発注受領者又は前記発注提供者のうちの少なくとも一つに対応する提示情報をフィルタリングし、且つ、
前記電子貨物運送状サーバは、前記提示情報を前記電子商取引発注システム内の電子貨物運送状上において表示するべく、前記提示情報を前記電子商取引発注システムに出力し、前記提示情報は、前記属性情報に関係付けられている、
情報提示システム。
【発明の詳細な説明】
【技術分野】
【０００１】
関連出願の相互参照
本出願は、２０１６年３月３１日付けで出願された中国特許出願第 201610200995.5 号に基づくと共にその優先権の利益を主張するものであり、この特許文献の内容は、引用により、そのすべてが本明細書に包含される。
【０００２】
本出願は、電子貨物運送状の技術分野に関し、且つ、更に詳しくは、電子貨物運送状に基づいた情報提示方法及び装置に関する。これに加えて、本出願は、電子貨物運送状に基づいた情報提示システムにも更に関する。
【背景技術】
【０００３】
ビッグデータ時代においては、インターネット上におけるデータ及び情報の促進及び適用が特に重要である。インターネット環境においては、情報の促進は、しばしば、ネットワークを使用することにより、実行されている。例えば、正確な広告は、ネットワーク上におけるデータ及び振る舞いを使用することにより、実現することができる一方で、オフラインにおける情報の促進は、その程度が制限されている。
【０００４】
例えば、電子商取引産業の分野においては、インターネット上におけるユーザの振る舞いに関するビッグデータに従って、正確なオンライン広告を実現することができる一方で、オフラインの電子貨物運送状を使用することによっては、関係する情報の促進を実装することができない。従って、電子貨物運送状上において提示され得る情報の場合に、オフラインによる情報の促進及び提示のための有効な方法が求められている。
【発明の概要】
【０００５】
本出願は、従来技術において存在している上述の問題点に対処するべく、情報を電子貨物運送状上において表示するための情報提示方法を提供している。本出願は、情報を電子貨物運送状上において表示するための情報提示装置及びシステムを更に提供している。
【０００６】
本出願のいくつかの実施形態によれば、情報を電子貨物運送状上において表示するための情報提示方法は、発注情報に従って発注情報の属性情報を取得するステップと、予め設定された情報システム内において、属性情報内の発注受領者又は発注提供者のうちの少なくとも一つのものの特性情報に基づいて、発注受領者又は発注提供者のうちの少なくとも一つに対応する提示情報をフィルタリングするステップであって、提示情報は、属性情報に関係付けられている、ステップと、提示情報を電子貨物運送状上において表示するステップと、を有する。
【０００７】
いくつかの実施形態においては、方法は、発注情報に従って発注情報の貨物運送状番号を取得するステップと、貨物運送状番号を電子貨物運送状上において表示するステップと、を更に有することができる。提示情報及び貨物運送状番号は、電子貨物運送状印刷方式により、電子貨物運送状上において表示することができる。方法は、電子貨物運送状を印刷するステップを更に含むことができる。
【０００８】
いくつかの実施形態においては、予め設定された情報システム内において、属性情報内の発注受領者又は発注提供者のうちの少なくとも一つのものの特性情報に基づいて、発注受領者又は発注提供者のうちの少なくとも一つに対応する提示情報をフィルタリングするステップは、予め設定された情報システム内において、属性情報に対応する候補情報の二つ以上の断片をフィルタリングするステップと、予め設定された優先順位ランク付け方式により、候補情報の二つ以上の断片をランク付けするステップと、高くランク付けされている候補情報を提示情報として使用するステップと、を含む。
【０００９】
属性情報は、発注情報、提供者属性情報、受領者属性情報、製品カテゴリ情報、受領者住所情報、又は提供者住所情報、という情報の一つ又は複数の断片を含むことができる。
【００１０】
発注情報に従って発注情報の属性情報を取得するステップは、発注システムから発注情報を受け取るステップと、発注情報に従って発注プラットフォームから属性情報を取得するステップと、を含むことができる。
【００１１】
提示情報は、チャネル提示情報、提供者提示情報、受領者提示情報、製品カテゴリ提示情報、産業チェーン提示情報、又は受領者場所提示情報、という情報の一つ又は複数の断片の組合せを含む。
【００１２】
予め設定された情報システム内において、属性情報内の発注受領者又は発注提供者のうちの少なくとも一つのものの特性情報に基づいて、発注受領者又は発注提供者に対応する提示情報をフィルタリングするステップは、属性情報内の発注受領者又は発注提供者のうちの少なくとも一つに対応する候補情報が、予め設定された情報システム内に存在しているかどうかを判定するステップと、「はい」である場合に、予め設定された方式により、対応する候補情報をランク付けするステップと、候補情報内の高くランク付けされている情報を提示情報として取得するステップと、を含むことができる。
【００１３】
予め設定された方式は、予め設定された優先順位ランク付け方式、予め設定された確率的ランク付け方式、予め設定された重み選択方式、又は予め設定された時間に基づいた選択方式、という方式のうちの一つ又は複数を含むことができる。一実施形態においては、予め設定された方式は、予め設定された時間に基づいた選択方式であり、且つ、時間に基づいた選択方式は、季節に基づいた選択方式である。
【００１４】
一実施形態においては、提示情報は、チャネル提示情報であり、且つ、チャネル提示情報は、発注及びチャネル提示情報を含む。別の実施形態においては、提示情報は、提供者提示情報であり、且つ、提供者提示情報は、提示され得る提供者に関係した提示情報を含む。更なる一実施形態においては、提示情報は、受領者提示情報であり、且つ、受領者提示情報は、提示され得る受領者に関係した提示情報を含む。提示され得る受領者に関係した提示情報は、受領者による製品の選択又はブラウジングに関する情報、受領者による関係したプラットフォーム上におけるブラウジングに関する情報、又は受領者の基本情報に関する情報、という情報の一つ又は複数の断片を含む。更なる一実施形態においては、提示情報は、製品カテゴリ提示情報であり、且つ、製品カテゴリ提示情報は、対応するカテゴリ又は類似のカテゴリの製品に関する情報を含み、この場合に、製品は、製品のタイプ及びカテゴリに従って分類されている。更に別の実施形態においては、提示情報は、産業チェーン提示情報であり、且つ、産業チェーン提示情報は、産業チェーンの上流又は下流に対応する情報を含む。更なる一実施形態においては、提示情報は、受領者場所提示情報であり、且つ、受領者場所提示情報は、受領者が位置している場所の情報と、住所に対応する地理的領域に関する情報と、を含む。
【００１５】
いくつかの実施形態によれば、提示情報を電子貨物運送状上において表示するステップは、予め設定された情報表示方式により、提示情報を電子貨物運送状上において表示するステップを含む。予め設定された情報表示方式は、二次元コード表示方式、アイコン表示方式、指標写真表示方式、又はバーコード表示方式、という方式のうちの一つ又は複数のものの組合せを含むことができる。
【００１６】
本出願は、発注情報に従って発注情報の属性情報を取得するように構成された属性情報取得ユニットと、予め設定された情報システム内において、属性情報内の発注受領者又は発注提供者のうちの少なくとも一つのものの特性情報に基づいて、発注受領者又は発注提供者に対応する提示情報をフィルタリングするように構成された提示情報取得ユニットであって、提示情報は、属性情報に論理的に関係付けられている情報である、提示情報取得ユニットと、提示情報を電子貨物運送状上において表示するように構成された提示情報表示ユニットと、を含む電子貨物運送状に基づいた情報提示装置を更に提供する。
【００１７】
いくつかの実施形態においては、装置は、発注情報に従って発注情報の属性情報を取得するステップの前又は後に、発注情報に従って発注情報の貨物運送状番号を取得するように構成された貨物運送状番号取得ユニットと、提示情報を電子貨物運送状上において表示するステップの前又は後に、貨物運送状番号を電子貨物運送状上において表示するように構成された貨物運送状番号表示ユニットと、を更に含むことができる。装置は、電子貨物運送状印刷方式により、提示情報及び貨物運送状番号を電子貨物運送状上において表示するように構成された電子貨物運送状印刷ユニットを更に含むことができる。
【００１８】
いくつかの実施形態によれば、提示情報取得ユニットは、予め設定された情報システム内において、属性情報に対応する候補情報の複数の断片をフィルタリングするように構成された候補情報スクリーニングサブユニットと、予め設定された優先順位ランク付け方式により、候補情報の複数の断片をランク付けするように構成されたランク付けサブユニットと、高くランク付けされている候補情報を提示情報として使用するように構成された提示情報形成サブユニットと、を含む。
【００１９】
属性情報取得ユニットは、発注システムによって送信された発注情報を受け取るように構成された発注情報受取りサブユニットと、発注情報に従って発注プラットフォームから属性情報を取得するように構成された属性情報形成サブユニットと、を含むことができる。
【００２０】
提示情報取得ユニットは、属性情報内の発注受領者又は発注提供者のうちの少なくとも一つのものに対応する候補情報が、予め設定された情報システム内に存在しているかどうかを判定し、且つ、「はい」である場合に、予め設定された方式により、対応する候補情報をランク付けするように構成された判定サブユニットと、候補情報内の高くランク付けされている情報を提示情報として取得するように構成された提示情報形成サブユニットと、を更に含むことができる。
【００２１】
電子貨物運送状情報形成ユニットは、予め設定された情報表示方式により、提示情報を電子貨物運送状上において表示するように構成された提示情報提示サブユニットを含むことができる。
【００２２】
本出願は、電子貨物運送状サーバ、広告システム、及び電子商取引発注システムを含む、電子貨物運送状に基づいた情報提示システムを更に提供しており、この場合に、電子商取引発注システムは、電子貨物運送状サーバ用の発注情報を提供するべく使用されており、電子貨物運送状サーバは、電子商取引発注システムによって提供される発注情報に従って発注情報の属性情報を取得し、電子貨物運送状サーバは、広告システム内において、属性情報内の発注受領者又は発注提供者のうちの少なくとも一つのものの特性情報に基づいて、発注受領者又は発注提供者に対応する提示情報をフィルタリングし、且つ、電子貨物運送状サーバは、提示情報を電子商取引発注システムに出力し、且つ、電子商取引発注システム内の電子貨物運送状上において提示情報を表示しており、この場合に、提示情報は、属性情報のコンテンツに関係付けられている。
【００２３】
装置は、電子貨物運送状印刷コンポーネント及びプリンタを更に含んでいてもよく、この場合に、提示情報は、電子貨物運送状印刷コンポーネント及びプリンタを使用することにより、電子貨物運送状上において表示される。
【００２４】
別の態様によれば、本出願は、発注情報に従って発注情報の属性情報を取得するステップと、予め設定された情報システム内において、属性情報内の受領者又は提供者のうちの少なくとも一つのものの情報に基づいて受領者又は提供者に対応する提示情報をフィルタリングするステップであって、提示情報は、属性情報に対応する情報を含む、ステップと、提示情報を電子貨物運送状上において表示するステップと、を含む電子貨物運送状に基づいた情報提示方法を提供している。方法において取得される提示情報は、提供者又は受領者のうちの少なくとも一つに関係した情報である。更には、方法によれば、オンラインとオフラインの組合せである電子貨物運送状を使用することにより、提示情報は、オンラインで取得されると共にオフラインで供給されるという方式により、オフラインにおいて促進されている。従って、電子貨物運送状を使用することにより、オンライン販促情報をオフラインにおいて促進及び提示することができる。
【図面の簡単な説明】
【００２５】
【図１】図１は、本出願の一実施形態による、電子貨物運送状に基づいた情報提示方法のフローチャートである。
【図２】図２は、本出願の一実施形態による、電子貨物運送状上において提示されたオブジェクトの概略図である。
【図３】図３は、本出願の一実施形態による、電子貨物運送状に基づいた情報提示方法の一適用シナリオのシステム図である。
【図４】図４は、本出願の別の実施形態による、電子貨物運送状に基づいた情報提示装置の概略構造図である。
【図５】図５は、本出願の別の実施形態による、電子貨物運送状に基づいた情報提示システムの概略構造図である。
【図６】図６は、本出願の更なる一実施形態による、電子貨物運送状に基づいた情報提示システムの更なるコンポーネントを示す概略構造図である。
【図７】図７は、本出願の一実施形態による、属性情報取得ユニットの概略構造図である。
【図８】図８は、本出願の一実施形態による、提示情報取得ユニットの概略構造図である。
【図９】図９は、本出願の別の実施形態による、提示情報取得ユニットの概略構造図である。
【発明を実施するための形態】
【００２６】
本出願は、電子貨物運送状に基づいた情報提示方法及びシステムを提供している。方法は、物流業界における電子貨物運送状の適用シナリオに適用することができる。物流業界においては、電子貨物運送状は、従来の貨物運送状との比較において、相対的に正確な貨物運送状情報という利点を有する。更には、電子貨物運送状上における貨物運送状情報の読取りは、相対的に便利であり、この結果、受領ユーザ及び発送ユーザの両方が貨物運送状情報を迅速に取得し得ることが保証される。従って、物流業界においては、現在、電子貨物運送状を使用して従来の貨物運送状を置換する運送会社が益々増えている。
【００２７】
電子貨物運送状の上述の発展傾向に基づいて、大部分のケースにおいては、電子貨物運送状が、相対的に多くの情報を搬送及び伝達すると共に相対的に多くの人々が相対的に有用な情報を電子貨物運送状から取得することを便利にする媒体として機能し得るように、電子貨物運送状上において提示される情報を拡張することができる。
【００２８】
図１は、本出願の第一実施形態による電子貨物運送状に基づいた情報表示／提示方法のフローチャートである。図１を参照すれば、情報提示方法は、以下のステップを含む。
【００２９】
Ｓ１０１：発注情報に従って発注情報の属性情報を取得する。属性情報は、発注ソース情報、提供者属性情報、受領者属性情報、製品カテゴリ情報、受領者住所情報、又は提供者住所情報、という情報の一つ又は複数の断片を含むことができる。
【００３０】
属性情報の上述のリストは、限られた属性特性のリストであり、且つ、列挙されている属性情報は、発注情報に対応する相対的に重要な属性でもある。それぞれのタイプの属性情報については、詳細に後述する。
【００３１】
発注ソース情報は、発注に密接に関係した情報であり、この場合に、それぞれの発注は、対応するソースを有する。例えば、発注が Taobao（商標）上において実施された場合には、その発注の発注ソース情報は、Taobao（商標）に関係したソース情報である。或いは、この代わりに、発注ソース情報は、いくつかのその他の電子商取引ベンダのウェブサイト及びプラットフォームからのものであってもよい。例えば、発注が、電子商取引ベンダの対応するウェブサイト上において実施された場合には、発注の属性情報は、そのウェブサイト及び／又は電子商取引ベンダに関係した情報を含むことができる。
【００３２】
提供者は、受領者用の製品を提供している。提供者属性情報は、提供者によって提供される製品のウェブサイト、提供者によって提供されるショップの信用度、提供者の住所、及びこれらに類似したものを含む。或いは、この代わりに、提供者属性情報は、提供者によって提供される製品が属するカテゴリ及びこれに類似したものを含むこともできる。要すれば、提供者属性情報は、提供者に関係した任意の情報を含むことができる。
【００３３】
受領者は、提供者によって提供された製品を受け取っており、且つ、従って、受領者属性情報内の受領者は、上述の提供者との間における対応関係を有する。受領者属性情報は、受領者の基本的な個人情報（年齢、身長、体重、職業、及び／又は教育などの基本情報）を含んでいてもよく、且つ、受領者によってブラウジングされたウェブサイト又は電子商取引ベンダのタイプの傾向、受領者の製品購入の価格の好み、及び受領者に関係した（友人のサークル、経済力、及び友人のサークル内における友人の購入能力に関する情報などの）社会的サークル情報を更に含んでいてもよい。要すれば、受領者属性情報は、受領者に関係した任意の情報を含むことができる。
【００３４】
製品カテゴリ情報は、その発注内の製品が属しているカテゴリであり、この場合に、カテゴリは、一般的な広いカテゴリであってもよく、或いは、特定の狭いカテゴリであってもよく、或いは、発注内の製品に関係したカテゴリであってもよく、これは、産業チェーンの中流又は上流における或いは下流の産業チェーン内の対応する製品カテゴリに関係している。例えば、購入された製品が携帯電話機である際には、対応する下流の産業チェーンに関係した製品は、（携帯電話機ケース又は携帯電話機メンブレインなどの）携帯電話機アクセサリであってもよく、従って、製品カテゴリ情報に含まれるコンテンツは、相対的に豊富である。
【００３５】
受領者住所情報は、受領者が位置している場所の情報である。又、受領者住所情報は、受領者属性情報に含まれていてもよい。いくつかの実施形態においては、受領者住所情報を取得するべく、ある程度、住所に対応する地理的領域を分割し且つ管理することが必要とされている。従って、受領者住所情報は、別個の属性情報であると見なすことができる。
【００３６】
提供者住所情報及び受領者住所情報は、類似の特性及び機能を有しており、この場合に、提供者住所情報は、提供者が位置している場所の情報であり、且つ、受領者が製品の輸送費用及び輸送時間を考慮するための基礎を提供することができる。
【００３７】
発注情報の属性情報について上述したが、属性情報は、以下の方式により、取得することができる。
【００３８】
発注情報に従って発注情報の属性情報を取得するステップは、以下のステップを含むことができる。
【００３９】
ステップ１：発注システムによって送信された発注情報を受け取る。
【００４０】
電子貨物運送状システムは、発注システムによって送信された発注情報を受け取ってもよく、この場合に、発注情報内の指標情報は、発注の取引の連番情報を含むことができる。いくつかの実施形態においては、連番情報は、電子貨物運送状システムによって受け取られる発注情報の一部分であると見なすことができる。
【００４１】
ステップ２：発注情報に従って発注プラットフォームから属性情報を取得する。
【００４２】
発注プラットフォーム上において、発注情報内の取引連番情報に従って、発注に関係した情報が見出されてもよく、この場合に、取引連番情報に対応する取引は、例えば、受領者属性情報、提供者属性情報、受領者住所情報、提供者住所情報、及びこれらに類似したものなどの、発注の取引における二つの関係者の情報を通知してもよく、且つ、更には、発注情報内の製品、製品が属しているカテゴリ、及びこれらに類似したものを通知してもよい。これに加えて、取引連番情報に従って、取引が発生している電子商取引プラットフォームが、即ち、発注のソース情報が、取得されてもよい。
【００４３】
以上においては、属性情報タイプ及び属性情報を取得する方法について説明した。上述の説明によれば、いくつかの実施形態においては、属性情報内のすべての情報が、例えば、受領者住所情報又は提供者住所情報などの、受領者又は提供者のうちの一つ又はこれらの両者に関係した情報であることをも知ることができる。
【００４４】
これに加えて、電子貨物運送状上において表示され得る上述の情報以外に、一般に、電子貨物運送状の一意性を通知する識別番号を電子貨物運送状上において表示することも必要とされており、この場合に、識別番号は、一般に、貨物運送状番号を使用することにより、実装されている。
【００４５】
発注情報に従って発注情報の属性情報を取得するステップの前又は後に、発注情報に従って発注情報の貨物運送状番号を取得する、というステップが実行されてもよい。
【００４６】
更に詳しくは、このステップにおける発注情報は、取引プロセスにおいてユーザによって取得される発注の取引連番と、発注の取引時刻などの基本情報と、を含むことができる。発注情報の貨物運送状番号を発注情報に従って取得するステップにおいては、発注情報内の取引連番が主に使用されている。
【００４７】
ユーザのそれぞれの取引において生成される取引連番の場合には、それぞれの連番は、一つの有効な取引に対応しており、且つ、物流業界においては、それぞれの取引ごとに、取引連番は、物流業界において使用される一つの貨物運送状番号に対応している。
【００４８】
発注の貨物運送状番号は、発注情報に従って一意に判定することができる。理解を容易にするために、貨物運送状番号は、共通エクスプレス貨物運送状番号であると理解することができる。従って、発注情報のそれぞれの断片は、一つの貨物運送状番号に対応し得る。発注の受領者は、出荷の後の任意の時点において、発注の貨物運送状番号に従って、発注の状態及び場所について問い合わせることができる。
【００４９】
以上においては、貨物運送状番号を判定するための実施形態について説明した。物流及び電子商取引の業界においては、方法は、対応するオペレーティングシステムを使用することにより、実行することができる。具体的には、電子商取引発注システム上において方法の動作を実行することができる。電子商取引発注システムは、一般に、独立ソフトウェアベンダ（ＩＳＶ：Independent Software Vendor）によって開発されたシステムであり、且つ、Alibaba（商標）オープンプラットフォームに基づいて電子商取引分野のために開発されたソフトウェアであってもよく、この場合には、電子商取引発注システムは、発注管理、在庫管理、並びに、発注印刷及び物品供給などの様々な対応するサービスを商人に対して提供することができる。
【００５０】
電子商取引発注システム内における発注管理又は物品供給などの対応する動作の後に、発注情報を電子貨物運送状システムにアップロードすることができると共に、電子貨物運送状システムを使用することにより、発注情報に対応する貨物運送状番号を取得することができる。
【００５１】
Ｓ１０２：予め設定された情報システム内において、属性情報内の発注受領者又は発注提供者のうちの少なくとも一つのものの特性情報に基づいて、発注受領者又は発注提供者に対応する提示情報をフィルタリングし、この場合に、提示情報は、属性情報のコンテンツに論理的に関係した情報である。
【００５２】
予め設定された情報システムは、提示情報を収集するためのプラットフォーム又はシステムであると理解することができる。予め設定された情報システムは、提示される必要がある発注提供者情報、発注に関与した製品カテゴリの提示情報、提示される必要がある受領者住所に対応した地理的領域の情報、電子商取引プラットフォーム上における発注受領者の購入傾向に関する提示情報、及び受領者の個人情報と関連したその他のネットワークプラットフォームに関する情報に関係した提示情報、という情報を含むことができる。
【００５３】
従って、予め設定された情報システムから、予め設定された情報システム内における関係した提示情報は、発注受領者又は発注提供者のうちの一つ或いは発注受領者及び発注提供者の両方に関係した特性情報でもあり、この場合に、特性情報は、発注受領者又は発注提供者に関係したなんらかの基本的な特性情報を表すべく使用される、ことを知ることができる。例えば、特性情報は、発注受領者の住所などの情報であってもよい。従って、予め設定された情報システム内の情報は、上述の取得された属性情報内の情報に対応し得る。更には、属性情報内の対応した情報に対応する又はこれに関係する提示情報は、予め設定された情報システム内においてフィルタリングすることができる。
【００５４】
いくつかの実施形態においては、属性情報に従ってフィルタリングされる対応した属性情報のコンテンツに論理的に関係付けられた提示情報は、チャネル提示情報、提供者提示情報、受領者提示情報、製品カテゴリ提示情報、産業チェーン提示情報、及び／又は受領者場所提示情報、という情報の一つ又は複数の断片を含むことができる。
【００５５】
上述の提示情報のタイプは、発注情報内の属性情報との間において基本的な対応関係を有し得る。基本的な対応関係は、発注ソース情報が提示情報内のチャネル提示情報に対応しており、提供者属性情報が提示情報内の提供者提示情報に対応しており、受領者属性情報が提示情報内の受領者提示情報に対応しており、受領者住所情報が提示情報内の受領者場所提示情報に対応しており、且つ、製品カテゴリ情報が提示情報内の製品カテゴリ提示情報に対応しており、この場合に、製品カテゴリ提示情報は、産業チェーン提示情報に更に分割されてもよく、且つ、産業チェーン提示情報は、製品カテゴリ提示情報に関係した産業チェーンの中流又は上流における或いは下流の産業チェーン内の製品のカテゴリ情報に対応している、というものを含むことができる。
【００５６】
以上、提示情報のタイプについて説明したが、以下、提示情報を取得する方式について説明する。具体的には、属性情報に従って、対応した属性情報に対応する提示情報をフィルタリングするステップは、予め設定された情報システム内において、属性情報内の少なくとも一つの関係者の情報に対応する候補情報の複数の断片をフィルタリングする、というステップを含む。
【００５７】
このステップは、予め設定された情報システム内において候補情報をフィルタリングしており、この場合に、すべての候補情報を提示情報であると見なすこともできるが、優先順位ランク付けを経験した候補情報のみが提示情報として提示されてもよい。
【００５８】
例えば、受領者属性情報に対応すると共に発注システム内の受領者属性情報に従って予め設定された情報システム内においてフィルタリングされた受領者提示情報は、例えば、発注受領者によって購入された製品に類似した形状を有する製品の提示情報、発注受領者によって購入された製品に類似した価格を有する製品の提示情報、受領者によって購入された製品に類似した色を有する製品の提示情報、受領者によって購入された製品に類似した機能を有する製品の提示情報、及びこれらに類似したもの、であり得る情報の複数の断片を含み得る。上述の列挙されたいくつかのタイプの情報は、予め設定された優先順位ランク付け方式により、候補情報の複数の断片をランク付けする、というステップにおいて、優先順位ランク付けのための候補情報として使用することができる。
【００５９】
以前のステップにおける例を使用すれば、候補情報は、それぞれ、発注受領者によって購入された製品に類似した形状を有する製品の提示情報、受領者によって購入された製品に類似した価格を有する製品の提示情報、受領者によって購入された製品に類似した色を有する製品の提示情報、並びに、受領者によって購入された製品に類似した機能を有する製品の提示情報である。候補情報は、予め設定された優先順位に従ってランク付けされ、この場合に、いくつかの実施形態においては、優先順位の順序を価格、機能、形状、又は色に対して設定することができる。従って、上述の候補情報は、優先順位の順序に従ってランク付けされてもよい。高くランク付けされている候補情報を提示情報として使用することができる。
【００６０】
従って、ランク付けが、例えば、価格、機能、形状、及び色などの優先順位の順序に従って実行された後には、受領者によって購入された製品に類似した価格を有する製品の候補情報が、高くランク付けされることになる。この候補情報を提示情報として使用することができる。
【００６１】
いくつかの実施形態においては、具体的には、以下の方式により、予め設定された情報システム内において、それぞれの属性情報のタイプごとに、対応する提示情報を別個にフィルタリングすることができる。
【００６２】
予め設定された情報システム内において、属性情報に従って、対応した属性情報に対応する提示情報をフィルタリングするステップは、
属性情報に対応する提示情報が予め設定された情報システム内に存在しているかどうかを判定し、且つ、「はい」である場合に、予め設定された方式により、対応する提示情報をランク付けするステップと、
提示情報内の高くランク付けされている情報を電子貨物運送状上において表示されるべき提示情報として取得するステップと、
を含む。
【００６３】
以下、特定の例を使用することにより、属性情報に従って対応する提示情報を取得する方法について更に説明する。
【００６４】
提示情報は、チャネル提示情報を含んでいてもよく、これは、発注及びチャネル提示情報の組合せを含むことができる。チャネル提示情報は、発注情報内の発注ソース情報に対応している。
【００６５】
発注チャネルに対応した対応するチャネル提示情報が、予め設定された情報システム内に存在しているかどうかが判定され、且つ、「はい」である場合に、相対的に最適な情報の断片が、判定結果に従って選択され、且つ、提示情報内のフィルタリングされた提示情報として使用される。
【００６６】
例えば、発注情報内の発注ソース情報が、Taobao（商標）上の商人の情報である場合には、発注ソース情報（Taobao（商標））に従って、予め設定された情報システム内において、Taobao（商標）に関係した提示情報をフィルタリングすることができる。例えば、提示情報は、Taobao（商標）が特定の日に特価による提供を実施する、というものであってもよい。従って、対応する電子貨物運送状上における提示用の提示情報として、Taobao（商標）に関係した情報を使用することができる。
【００６７】
提示情報は、提示され得る提供者に関係した提示情報を含む、提供者提示情報を含むことができる。
【００６８】
発注提供者に対応した対応する提供者提示情報が、予め設定された情報システム内に存在しているかどうかが判定され、且つ、「はい」である場合に、相対的に最適な情報の断片が、判定結果に従って選択され、且つ、提示情報内のフィルタリングされた提供者提示情報として使用される。
【００６９】
例えば、提供者属性情報は、商人である提供者のショップの情報であってもよい。商人のショップに関係すると共に商人の製品に関係した大量の情報が、予め設定された情報システム内において保存されている。商人のショップにおける主要な販促製品が、商人のショップの情報に従って、予め設定された情報システム内においてフィルタリングされてもよく、且つ、この製品の特定の情報が、ショップの情報に対応した提示情報として使用されてもよい。
【００７０】
提示情報は、受領者提示情報を含んでいてもよく、これは、提示され得る受領者に関係した提示情報を含むことができる。
【００７１】
発注受領者に対応した対応する受領者提示情報が、予め設定された情報システム内に存在しているかどうかが判定され、且つ、「はい」である場合に、相対的に最適な情報の断片が、判定結果に従って選択され、且つ、提示情報内のフィルタリングされた受領者提示情報として使用される。
【００７２】
これに加えて、予め設定された方式により、対応する提示情報をランク付けする際のランク付け方式は、予め設定された優先順位ランク付け方式である。或いは、この代わりに、予め設定された方式により、対応する提示情報をランク付けする際のランク付け方式は、予め設定された確率的ランク付け方式である。いくつかの実施形態においては、予め設定された方式により、対応する提示情報をランク付けする際のランク付け方式は、予め設定された重み選択方式であってもよい。いくつかのその他の実施形態においては、予め設定された方式により、対応する提示情報をランク付けする際のランク付け方式は、予め設定された時間に基づいた選択方式であってもよい。予め設定された時間に基づいた選択方式により、ランク付けする際の時間に基づいた選択方式は、季節に基づいた選択方式であってもよい。例えば、保温製品は、主には冬季に、販売促進され得る。従って、優先順位ランク付けの際には、冬に関係した情報を主要な参照基準として使用することができる。
【００７３】
提示情報は、製品カテゴリ提示情報を含んでいてもよく、これは、製品が製品のタイプ及びカテゴリに従って分類された後の対応するカテゴリ又は類似のカテゴリの製品に関する提示された情報を含む。
【００７４】
製品カテゴリ情報に基づいて、対応する製品カテゴリ提示情報又は関係するカテゴリ情報が、予め設定された情報システム内に存在しているかどうか、或いは、産業の上流又は下流における製品の対応する属性の提示情報が、予め設定された情報システム内に存在しているかどうか、が判定され、且つ、「はい」である場合に、相対的に最適な情報の断片が、判定結果に従って選択され、且つ、提示情報内の製品カテゴリ提示情報として使用される。
【００７５】
提示情報は、産業チェーン提示情報を含んでいてもよく、これは、産業チェーンの上流又は下流に対応する提示情報を含む。
【００７６】
提示情報は、受領者場所提示情報を含んでいてもよく、これは、受領者が位置している場所の住所と、住所に対応する地理的領域に関する情報と、を含む。
【００７７】
発注受領者場所に対応した対応する受領者場所提示情報が、予め設定された情報システム内に存在しているかどうかが判定され、且つ、「はい」である場合に、相対的に最適な情報の断片が、判定結果に従って選択され、且つ、提示情報内のフィルタリングされた受領者場所提示情報として使用される。
【００７８】
提示情報は、上述の説明に従って発注プラットフォームによって取得される。提示情報が電気貨物運送状上において印刷される前には、提示情報は、候補提示情報と呼称することができる。予め設定された情報システム内において、プラットフォーム戦略に従って、いずれの情報の断片が、電気貨物運送状上において提示情報として最終的に使用されるのか、が判定される。
【００７９】
実際の一状況においては、プラットフォーム戦略は、一般に、優先順位戦略であり、この場合に、いくつかの実施形態においては、優先順位は、それぞれ、チャネル提示情報、受領者提示情報、製品カテゴリ提示情報、産業チェーン上流及び下流提示情報、受領者属性提示情報、受領者住所及び場所提示情報などであってもよい。
【００８０】
又、いくつかの実施形態においては、異なる状況に基づいて、相対的に最適な提示情報が、このステップにおいて、提示のために選択されない場合もある。その代わりに、優先順位ランク付けが実行され、且つ、（貨物運送状のサイズに従って判定され得る）最高にランク付けされている一つ又は複数の情報の断片が選択される。
【００８１】
当業者は、以上において列挙された任意のランク付け方式が本出願の保護範囲に含まれており、且つ、列挙されたランク付け方式に類似したその他の方式も、使用することが可能であると共に本出願の保護範囲に含まれることを理解するであろう。
【００８２】
提示され得る受領者に関係した提示情報は、受領者による製品の選択又はブラウジングに関する情報、受領者による関係したプラットフォーム上におけるブラウジングに関する情報、又は受領者の基本情報に関する情報、という情報の一つ又は複数の断片を含むことができる。
【００８３】
具体的には、受領者の購入傾向及び最近ブラウジングされた物品などの情報が、受領者情報に従って取得される。ソーシャルネットワーク及びその他のインターネットプラットフォーム内における受領者の痕跡に従って、受領者の現時点のライフステージ、経済力、及び社会的サークルなどの情報が判定される。上述の情報に従って、対応する提示情報が、予め設定された情報システム内に存在しているかどうかが判定され、且つ、「はい」である場合に、相対的に最適な情報の断片が、判定結果に従って選択され、且つ、受領者提示情報として使用される。
【００８４】
上述の説明においては、発注受領者及び発注提供者について、上述の言及されている受領者及び提供者の両方が記述されている。
【００８５】
Ｓ１０３：提示情報を電子貨物運送状上において表示する。
【００８６】
このステップは、上述の形成された提示情報を電子貨物運送状上において表示するプロセスである。以下、電子貨物運送状上において表示される提示情報の形態又はフォーマット或いは提示情報を電子貨物運送状上において表示する方式について詳細に説明することとする。
【００８７】
いくつかの実施形態においては、ステップＳ１０１の前又は後に、貨物運送状番号を取得するプロセスが更に提供されており、且つ、このプロセスを使用することにより、貨物運送状番号を取得することができる。従って、一般に、電子貨物運送状上において表示されるオブジェクトは、貨物運送状番号と提示情報の組合せであってもよい。
【００８８】
図２は、本出願の第一実施形態における電子貨物運送状上において表示されたオブジェクトの概略図である。図２に示されているように、電子貨物運送状上において表示され得る情報は、貨物運送状番号２０１と、ステップ１０２において取得された提示情報２０２と、を含み得る。いくつかの実施形態においては、貨物運送状番号２０１及び提示情報２０２は、電子貨物運送状上において、二つの部分として別個に表示されている。
【００８９】
貨物運送状番号２０１は、エクスプレスパッケージの一意の識別番号を表す共通エクスプレス貨物運送状上のエクスプレス番号であると見なすことができる。貨物運送状番号２０１は、電子貨物運送状の一意の識別子である。貨物運送状番号２０１は、一般に、数字及び文字を電子貨物運送状上において表示するための文字列或いはバーコード又は二次元コードに組み合わせることにより、形成される。
【００９０】
これに加えて、提示情報２０２は、上述のステップにおいて取得される発注受領者又は発注提供者の特性情報のコンテンツに論理的に関係付けられた情報である。
【００９１】
具体的には、提示情報２０２は、発注受領者に関係付けられた情報であってもよく、或いは、発注提供者に関係付けられた情報であってもよい。例えば、提示情報２０２は、提供者である商人のショップの情報であってもよく、或いは、受領者によって購入された製品の関連製品の販促情報であってもよい。提示情報は、電子貨物運送状上において提示され、且つ、最終的には、パーセル又はパッケージと共に、受領者に届く。従って、提示情報２０２は、更なる情報を提供するための機会をユーザに提供しており、且つ、ユーザは、電子貨物運送状上の提示情報２０２に従って、相対的に多くの情報を便利に取得し、これにより、情報促進の効果が実現される。
【００９２】
これに加えて、提示情報２０２は、情報の一つの断片であってもよく、或いは、情報の複数の断片を組み合わせることによって形成されてもよい。図２の提示情報２０２は、概略図であるに過ぎない。この代わりに、電子貨物運送状上の、図２の提示情報２０２用のエリアなどの、固定されたエリアが、提示情報用の表示エリアとして設定されてもよく、且つ、上述のステップにおいて取得された提示情報は、表示エリア内において表示されてもよい。
【００９３】
提示情報は、予め設定された情報表示方式により、電子貨物運送状上において表示されてもよい。予め設定された情報表示方式は、一つ又は複数のタイプの情報の予め設定された表示方式であり、且つ、表示方式は、コンピュータのアプリケーションの開発に伴って変化する。現時点において一般的である表示方式は、二次元コード表示方式、アイコン表示方式、指標写真表示方式、或いは、バーコード表示方式、という方式のうちの一つ又は複数を含み得る。
【００９４】
二次元コード方式は、情報収集及び伝達のために、広く使用されている。既存の電子装置は、スキャニングを通じて、画像認識システムを使用することにより、二次元コードに含まれている情報を短時間において取得することができる。ユーザは、対応するスキャニングソフトウェアを使用することにより、二次元コードをスキャニングしてもよく、これにより、二次元コードの情報を読み取っている。二次元コード方式によれば、一方において、情報読取りの速度を保証することができる一方で、他方においては、ある程度、二次元コードに対応する情報を暗号化することが可能であり、且つ、ユーザは、二次元コードをスキャニングすることによってのみ、対応する情報を読み取ることが可能であり、さもなければ、ユーザは、二次元コードによって提示される特定の情報を観察することができない。
【００９５】
アイコン方式によって提示情報を表示することにより、提示情報は、ユーザの認識及び理解のために便利なものとなり得る。例えば、提示情報が製品のロゴ用のアイコンである場合には、電子貨物運送状上における提示のための提示情報として、ロゴ用のアイコンを直接的に使用することができる。
【００９６】
指標写真表示方式は、電子貨物運送状上における提示のために、提示情報の一部分として、いくつかの指標写真が使用され得ることを意味している。
【００９７】
当業者は、情報表示方式は、以上において列挙されているいくつかの表示方式に限定されるものではなく、且つ、いくつかのプラットフォーム上において情報を表示するべく使用され得る任意の表示方式が、本出願の保護範囲に含まれていることを理解するであろう。
【００９８】
貨物運送状番号は、一般に、アラビア数字を使用することによって表示されており、或いは、貨物運送状番号は、電子貨物運送状上における表示のために、二次元コード又はバーコードの形態に変換されてもよい。当業者は、電子貨物運送状上において貨物運送状番号を表示するためのその他の表示方式も使用され得ることを理解するであろう。
【００９９】
これに加えて、生成された提示情報及び電子貨物運送状上の貨物運送状番号は、電子商取引発注システムに送信されてもよく、且つ、電子商取引発注システムは、上述の情報に従って、完全な電子貨物運送状を形成してもよく、且つ、次いで、電子商取引発注システムを使用することにより、電子貨物運送状を印刷するべく、印刷システムを呼び出すことができる。
【０１００】
具体的には、貨物運送状番号及び電子貨物運送状上における提示のための提示情報を使用することにより、電子貨物運送状情報を形成するステップの後に、方法は、電子貨物運送状印刷方式により、提示情報及び貨物運送状番号を電子貨物運送状上において表示するステップを更に含むことができる。
【０１０１】
電子貨物運送状印刷方式は、予め設定された印刷コンポーネントを使用することにより、電子貨物運送状を印刷するステップを含む。
【０１０２】
電子商取引発注システムは、電子貨物運送状を印刷するべく、標準的な印刷コンポーネントを呼び出すことができる。このケースにおいては、電子貨物運送状に含まれている情報は、貨物運送状番号と、発注情報の属性情報内の提供者情報又は受領者情報に関係した提示情報と、を含み得る。印刷された電子貨物運送状は、パッケージに付着され、且つ、パッケージと共に、受領者に届く。
【０１０３】
図３は、本出願の第一実施形態による電子貨物運送状に基づいた情報提示方法の一適用シナリオのシステム図である。図３を参照すれば、方法の特定の一適用形態は、以下のとおりである。
【０１０４】
電子商取引発注システム３０３は、発注番号に対応する貨物運送状番号（エクスプレス貨物運送状番号）を取得するように、発注番号（発注情報）を電子貨物運送状サーバ３０１にアップロードする。電子貨物運送状サーバ３０１は、受け取られた発注番号に従って、発注プラットフォーム上における発注情報の、例えば、発注ソース情報、購入者情報（受領者属性情報）、又は供給住所（受領者住所情報）などの、属性情報を取得する。電子貨物運送状サーバ３０１は、発注の属性情報に従って、属性情報の断片に対応する広告が、広告システム（予め設定された情報システム）３０２内に存在しているかどうかを判定し、且つ、「はい」である場合に、広告システムは、優先順位に従って順序を判定し、且つ、優先順位の順序に従って、望ましい広告をフィルタリングする。フィルタリングされた広告及び取得された貨物運送状番号は、電子貨物運送状サーバ３０１を通じて、電子商取引発注システム３０３に送信され、電子商取引発注システムは、電子貨物運送状印刷コンポーネント３０４を呼び出し、且つ、電子貨物運送状印刷コンポーネントは、電子貨物運送状を印刷するべく、プリンタ３０５を制御及び起動する。電子貨物運送状は、貨物運送状番号と、例えば、広告などの、提示情報と、を含み、且つ、電子貨物運送状は、パッケージと共に、発注受領者に届く。
【０１０５】
要すれば、方法によれば、オンラインとオフラインの組合せである電子貨物運送状を使用することにより、パッケージ上において付着された電子貨物運送状の用紙が、貨物運送状番号を含むのみならず、発注情報に、且つ、提供者又は受領者のうちの少なくとも一つに、関係した提示情報をも含む。従って、提示情報は、貨物運送状を介した更なる情報の促進及び伝達を支援することができる。更には、提示情報は、関係するオンラインシステムから正確に取得されている。従って、正確なオフラインにおける情報プッシュ能力を実現することができる。
【０１０６】
本出願の第二実施形態は、電子貨物運送状に基づいた情報提示装置を提供している。図４は、本出願の第二実施形態において提供される電子貨物運送状に基づいた情報提示装置の概略構造図である。図４を参照すれば、情報提示装置は、
発注情報に従って発注情報の属性情報を取得するように構成された属性情報取得ユニット４０１と、
予め設定された情報システム内において、属性情報内の発注受領者又は発注提供者のうちの少なくとも一つのものの特性情報に基づいて、発注受領者又は発注提供者に対応する提示情報をフィルタリングするように構成された提示情報取得ユニット４０２であって、提示情報は、属性情報のコンテンツに論理的に関係付けられた情報である、提示情報取得ユニット４０２と、
提示情報を電子貨物運送状上において表示するように構成された提示情報表示ユニット４０３と、
を含む。
【０１０７】
いくつかの実施形態においては、図６に示されているように、装置は、
発注情報に従って発注情報の属性情報を取得するステップの前又は後に、発注情報に従って発注情報の貨物運送状番号を取得するように構成された貨物運送状番号取得ユニット４０４と、
貨物運送状番号を電子貨物運送状上において表示するように構成された貨物運送状番号表示ユニット４０５と、
を更に含むことができる。
【０１０８】
いくつかのその他の実施形態においては、図６に示されているように、装置は、電子貨物運送状印刷方式により、提示情報及び貨物運送状番号を電子貨物運送状上において表示するように構成された電子貨物運送状印刷ユニット４０６を更に含むことができる。
【０１０９】
図７に示されているように、属性情報取得ユニット４０１は、
発注システムによって送信された発注情報を受け取るように構成された発注情報受取りサブユニット４０１０と、
発注情報に従って発注プラットフォームから属性情報を取得するように構成された属性情報形成サブユニット４０１２と、
を含むことができる。
【０１１０】
図８に示されているように、提示情報取得ユニットは、
予め設定された情報システム内において、属性情報に対応する候補情報の複数の断片をフィルタリングするように構成された候補情報フィルタリングサブユニット４０２０と、
予め設定された優先順位ランク付け方式により、候補情報の複数の断片をランク付けするように構成されたランク付けサブユニット４０２２と、
高くランク付けられている候補情報を提示情報として使用するように構成された提示情報形成サブユニット４０２４と、
を含むことができる。
【０１１１】
図９に示されているように、提示情報取得ユニット４０２は、
属性情報内の発注受領者又は発注提供者のうちの少なくとも一つに対応する候補情報が、予め設定された情報システム内に存在しているかどうかを判定し、且つ、「はい」である場合に、予め設定された方式により、候補情報をランク付けするように構成された判定サブユニット４０２１と、
候補情報内の高くランク付けされている情報を提示情報として取得するように構成された提示情報形成サブユニット４０２４と、
を更に含むことができる。
【０１１２】
電子貨物運送状情報形成ユニットは、予め設定された情報表示方式により、提示情報を電子貨物運送状上において表示するように構成された提示情報提示サブユニットを含むことができる。
【０１１３】
本出願の第二実施形態において提供されている電子貨物運送状に基づいた情報提示装置の実施形態は、本出願の第一実施形態において提供されている電子貨物運送状に基づいた情報提示方法の実施形態に対応している。従って、本出願の第二実施形態において提供されている装置の詳細な説明は、省略する。特定の詳細事項については、本出願の第一実施形態において提供されている電子貨物運送状に基づいた情報提示方法の説明を参照されたい。
【０１１４】
本出願の第三実施形態は、電子貨物運送状に基づいた情報提示システムを更に提供している。図５を参照すれば、システムは、電子貨物運送状サーバ４０１と、広告システム３０２と、電子商取引発注システム３０３と、を含む。これらのコンポーネントは、図３の、且つ、上述した、コンポーネントと同一であるか又はこれらに類似することが可能であり、且つ、従って、同一の参照符号が使用されている。電子商取引発注システムは、電子貨物運送状サーバ用の発注情報を提供するべく、使用される。電子貨物運送状サーバは、電子商取引発注システムによって提供される発注情報に従って発注情報の属性情報を取得する。電子貨物運送状サーバは、広告システム内において、属性情報内の発注受領者又は発注提供者のうちの少なくとも一つのものの特性情報に基づいて、発注受領者又は発注提供者に対応する提示情報をフィルタリングする。電子貨物運送状サーバは、提示情報を電子商取引発注システムに出力し、且つ、提示情報を電子商取引発注システム内の電子貨物運送状上において表示する。提示情報は、属性情報のコンテンツに論理的に関係付けられた情報である。
【０１１５】
いくつかの実施形態においては、システムは、電子貨物運送状印刷コンポーネントと、プリンタと、を更に含んでいてもよく、この場合には、提示情報は、電子貨物運送状印刷コンポーネント及びプリンタを使用することにより、電子貨物運送状上において表示される。電子商取引発注システム３０３は、発注番号に対応する貨物運送状番号（エクスプレス貨物運送状番号）を取得するように、発注番号（発注情報）を電子貨物運送状サーバ３０１にアップロードする。電子貨物運送状サーバは、受け取られた発注番号に従って、発注プラットフォーム上における発注情報の、例えば、発注ソース情報、購入者情報（受領者属性情報）、又は供給住所（受領者住所情報）などの、属性情報を取得する。電子貨物運送状サーバ３０１は、発注の属性情報に従って、属性情報の断片に対応する広告が、広告システム（予め設定された情報システム）３０２内に存在しているかどうかを判定し、且つ、「はい」である場合に、広告システムは、優先順位に従って順序を判定し、且つ、優先順位の順序に従って、望ましい広告をスクリーニングする。特定のフィルタリングプロセスについては、上述のステップにおける説明を参照されたい。フィルタリングされた広告及び取得された貨物運送状番号は、電子貨物運送状サーバ３０１を通じて、電子商取引発注システム３０３に送信され、電子商取引発注システムは、電子貨物運送状印刷コンポーネント３０４（図３を参照されたい）を呼び出し、且つ、電子貨物運送状印刷コンポーネントは、電子貨物運送状を印刷するべく、プリンタ３０５（図３を参照されたい）を制御及び起動する。電子貨物運送状は、貨物運送状番号と、例えば、広告などの、提示情報と、を含み、且つ、電子貨物運送状は、パッケージと共に、受領者に届く。
【０１１６】
本開示の別の態様は、実行された際に、一つ又は複数のプロセッサが上述の方法を実行するようにする命令を保存している一時的ではないコンピュータ可読ストレージ媒体を対象としている。コンピュータ可読ストレージ媒体は、揮発性又は不揮発性の、磁気的な、半導体の、光学的な、着脱自在の、非着脱自在の、或いは、その他のタイプの、コンピュータ可読ストレージ媒体又はコンピュータ可読ストレージ装置を含むことができる。例えば、コンピュータ可読ストレージ媒体は、開示されているように、その上部において保存されたコンピュータ命令を有するストレージユニット又はメモリモジュールであってもよい。いくつかの実施形態においては、コンピュータ可読ストレージ媒体は、その上部に保存されたコンピュータ命令を有するディスク又はフラッシュドライブであってもよい。
【０１１７】
当業者は、本明細書における開示を参照して記述されている様々な例示用の論理ブロック、モジュール、回路、及びアルゴリズムステップは、専門的な電子的ハードウェア、コンピュータソフトウェア、又は電子的ハードウェアとコンピュータソフトウェアとの組合せとして、実装され得ることを更に理解することができる。例えば、モジュール／ユニットは、コンピュータ可読ストレージ媒体内において保存されているソフトウェア命令を実行してモジュール／ユニットの専門的な機能を実行するために、一つ又は複数のプロセッサが一つ又は複数の特殊目的プロセッサになるようにするべく、一つ又は複数のプロセッサによって実装することができる。
【０１１８】
添付図面中のフローチャート及びブロック図は、本発明の複数の実施形態によるシステム及び方法の可能な実装形態のシステムアーキテクチャ、機能、及び動作を示している。この点において、フローチャート又はブロック図内のそれぞれのブロックは、一つのモジュール、一つのプログラムセグメント、又はコードの一部分を表していてもよく、この場合に、モジュール、プログラムセグメント、又はコードの一部分は、規定された論理的機能を実装するべく使用される一つ又は複数の実行可能命令を含む。又、いくつかの代替実装形態においては、ブロック内においてマーキングされた機能は、図面中のマーキングされたシーケンスとは異なるシーケンスにおいて発生し得ることに留意されたい。例えば、二つの連続的なブロックは、実際には、実質的に並行状態において実行されることが可能であり、且つ、しばしば、これらは、更には、逆の順序において実行されることも可能であり、これは、関係する機能に依存している。ブロック図及び／又はフローチャート内のそれぞれのブロックと、ブロック図及び／又はフローチャート内のブロックの組合せと、は、対応する機能又は動作を実行するための専用のハードウェアに基づいたシステムによって実装されてもよく、或いは、専用のハードウェア及びコンピュータ命令の組合せによって実装されてもよい。
【０１１９】
当業者には理解されるように、本開示の実施形態は、方法、システム、又はコンピュータプログラムプロダクトとして実施されてもよい。従って、本開示の実施形態は、専門的なコンポーネントが上述の機能を実行することを許容するための、完全なハードウェア実施形態、完全なソフトウェア実施形態、又はソフトウェアとハードウェアとを組み合わせた実施形態、の形態を有することができる。更には、本開示の実施形態は、コンピュータ可読プログラムコードを収容する、一つ又は複数の有体の且つ／又は一時的ではないコンピュータ可読ストレージ媒体内において実施されたコンピュータプログラムプロダクトの形態を有することもできる。一時的ではないコンピュータ可読ストレージ媒体の一般的な形態は、例えば、フロッピーディスク、フレキシブルディスク、ハードディスク、半導体ドライブ、磁気テープ、又は任意のその他の磁気データストレージ媒体、ＣＤ−ＲＯＭ、任意のその他の光データストレージ媒体、孔のパターンを有する任意の物理的媒体、ＲＡＭ、ＰＲＯＭ、及びＥＰＲＯＭ、ＦＬＡＳＨ−ＥＰＲＯＭ、又は任意のその他のフラッシュメモリ、ＮＶＲＡＭ、キャッシュ、レジスタ、任意のその他のメモリチップ又はカートリッジ、並びに、これらのネットワーク化されたバージョンを含む。
【０１２０】
本開示の実施形態は、本開示の実施形態による方法、装置（システム）、及びコンピュータプログラムプロダクトのフロー図及び／又はブロック図を参照して記述されている。フロー図及び／又はブロック図のそれぞれのフロー及び／又はブロック、並びに、フロー図及び／又はブロック図のフロー及び／又はブロックの組合せ、は、コンピュータプログラム命令によって実装され得ることを理解されたい。これらのコンピュータプログラム命令は、コンピュータ又はその他のプログラム可能なデータ処理装置のプロセッサを介して実行される命令が、ブロー図内の一つ又は複数のフロー及び／又はブロック図内の一つ又は複数のブロックに規定されている機能を実装するための手段を生成するように、特殊目的機械を生成するべく、コンピュータのプロセッサ、組込み型のプロセッサ、又はその他のプログラム可能なデータ処理装置に対して提供されてもよい。
【０１２１】
又、これらのコンピュータプログラム命令は、コンピュータ可読メモリ内において保存されている命令が、フロー図内の一つ又は複数のフロー及び／又はブロック図内の一つ又は複数のブロック内に規定されている機能を実装する命令手段を含む製造製品を生成するように、特定の方式によって機能するようにコンピュータ又はその他のプログラム可能なデータ処理装置を制御し得るコンピュータ可読メモリ内において保存されていてもよい。
【０１２２】
又、これらのコンピュータプログラム命令は、（コンピュータ又はその他のプログラム可能な装置上において実行される）命令が、フロー図内の一つ又は複数のフロー及び／又はブロック図内の一つ又は複数のブロックにおいて規定されている機能を実装するためのステップを提供するように、一連の動作ステップが、コンピュータ又はその他のプログラム可能な装置上において実行されて、コンピュータによって実装された処理を生成するようにするべく、コンピュータ又はその他のプログラム可能なデータ処理装置に読み込まれてもよい。代表的な構成においては、コンピュータ装置は、一つ又は複数の中央処理ユニット（ＣＰＵ：Central Processing Unit）と、入出力インタフェースと、ネットワークインタフェースと、メモリと、を含む。メモリは、コンピュータ可読ストレージ媒体内において、揮発性メモリ、ランダムアクセスメモリ（ＲＡＭ：Random Access Memory）、及び／又は、読み出し専用メモリ（ＲＯＭ：Read-Only Memory）又はフラッシュＲＡＭなどの、不揮発性メモリ、並びに、これらに類似したものの形態を含むことができる。メモリは、コンピュータ可読ストレージ媒体の一例である。
【０１２３】
コンピュータ可読ストレージ媒体は、プロセッサによって読み取られ得る情報又はデータがその上部において保存され得る任意のタイプの物理的メモリを意味している。従って、コンピュータ可読ストレージ媒体は、一つ又は複数のプロセッサが本明細書において記述されている実施形態と一貫性を有するステップ又はステージを実行するようにするための命令を含む、一つ又は複数のプロセッサによる実行用の命令を保存することができる。コンピュータ可読媒体は、不揮発性且つ揮発性の媒体と、着脱自在の且つ非着脱自在の媒体と、を含み、この場合に、情報ストレージは、任意の方法又は技術によって実装することができる。情報は、コンピュータ可読命令のモジュール、データ構造、及びプログラム、或いは、その他のデータであってもよい。一時的ではないコンピュータ可読媒体の例は、限定を伴うことなしに、相変化ランダムアクセスメモリ（ＰＲＡＭ：Phase-change Random Access Memory）、スタティックランダムアクセスメモリ（ＳＲＡＭ：Static Random Access Memory）、ダイナミックランダムアクセスメモリ（ＤＲＡＭ：Dynamic Random Access Memory）、その他のタイプのランダムアクセスメモリ（ＲＡＭ）、読み出し専用メモリ（ＲＯＭ）、電子的に消去可能なプログラム可能な読み出し専用メモリ（ＥＥＰＲＯＭ：Electrically Erasable Programmable Read-Only Memory）、フラッシュメモリ又はその他のメモリ技術、コンパクトディスク読み出し専用メモリ（ＣＤ−ＲＯＭ：Compact Disc Read-Only Memory）、デジタルバーサタイルディスク（ＤＶＤ：Digital Versatile Disc）又はその他の光ストレージ、カセットテープ、テープ又はディスクストレージ又はその他の磁気ストレージ装置、キャッシュ、レジスタ、又はコンピュータ装置によってアクセスされる能力を有する情報を保存するべく使用され得る任意のその他の非送信媒体を含む。コンピュータ可読ストレージ媒体は、一時的なものではなく、且つ、変調されたデータ信号及び搬送波などの、一時的な媒体を含んではいない。
【０１２４】
以上、本明細書においては、情報を提示するための方法、装置、及びシステムについて記述した。図示されているステップは、図示の例示用の実施形態を説明するべく意図されており、且つ、進行中の技術開発により、特定の機能が実行される方式が変化することになるものと想定される。従って、これらの例は、本明細書においては、限定ではなく、例示を目的として提示されている。例えば、本明細書において開示されているステップ又はプロセスは、記述されている順序において実行されることに限定されるものではなく、開示されている実施形態と一貫性を有する状態において、任意の順序において実行されてもよく、且つ、いくつかのステップが省略されてもよい。更には、機能構築ブロックの境界は、本明細書においては、説明の利便を目的として、任意に定義されている。規定されている機能及びその関係が適切に実行される限り、代替境界を定義することができる。本明細書に含まれている教示内容に基づいて、（本明細書において記述されているものの均等物、拡張、変形、逸脱などを含む）代替肢が当業者に明らかとなろう。このような代替肢も、開示されている実施形態の範囲及び精神に含まれる。
【０１２５】
本明細書には、開示されている原理の例及び特徴が記述されているが、開示されている実施形態の精神及び範囲を逸脱することなしに、変更、適合、及びその他の実装形態が可能である。又、「有する（comprising）」、「有する（having）」、「含む（containing）」、及び「含む（including）」という用語、並びに、その他の類似の形態は、これらの用語のいずれかのものに後続する一つ又は複数の項目が、このような一つ又は複数の項目のすべてを網羅したリストとなるものと解釈されない、或いは、列挙されている一つ又は複数の項目のみに限定されるものと解釈されない、という点において、意味において等価となるように、且つ、オープンエンド型となるように、意図されている。又、本明細書及び添付の請求項において使用されている「一つの（a）」、「一つの（an）」、及び「その（the）」という単数形は、文脈がそうではない旨を明瞭に示していない限り、複数の参照物を含むことに留意されたい。
【０１２６】
本発明は、上述の、且つ、添付図面に示されている、構造そのままに限定されるものではなく、且つ、その範囲を逸脱することなしに、様々な変更及び変形が実施され得ることを理解されたい。本発明の範囲は、添付の請求項によってのみ限定されるものと解釈されたい。
【図１】
2019513272.tif 000003
【図２】
2019513272.tif 000004
【図３】
2019513272.tif 000005
【図４】
2019513272.tif 000006
【図５】
2019513272.tif 000007
【図６】
2019513272.tif 000008
【図７】
2019513272.tif 000009
【図８】
2019513272.tif 000010
【図９】
2019513272.tif 000011
【国際調査報告】
2019513272.tif 000012